(57)【特許請求の範囲】
【請求項１】
面状弾性体をシートフレームの枠内に張設配置することにより、座面部を形成する面状弾性体による座面部を有するシートにおいて、
複数個の掛止め爪を定間隔毎に突設したシートフレームと、各掛止め爪と相応位置する複数個のスリットを板面に設け、立上りフランジ部を少なくとも外周縁に設け、更に、面状弾性体を周回りから固着保持する略四辺形の枠体を備え、
前記立上りフランジ部をシートフレームの縁辺に係合させて枠体をシートフレームに位置決め装着すると共に、前記枠体をスリットに挿通させて折り曲げる掛止め爪でシートフレームと一体に組付固定し、前記面状弾性体をシートフレームの枠内に張設装備したことを特徴とする面状弾性体による座面部を有するシート。
【発明の詳細な説明】
【０００１】
【発明の属する技術分野】
本発明は、通気性のある面状弾性体による座面部を有するシートの改良に関するものである。
【０００２】
【従来の技術】
従来、通気性のある面状弾性体から座面部を形成するシートは既に提案されている（ＵＳＰ５，０１３，０８９、同５，５３３，７８９、特表平８−５０７９３５号）。
【０００３】
その面状弾性体による座面部を有するシートは通気性を座面部に付与できると共に、通常のシートとはデザイン的に様相を変られる。また、通常の座面部を構成するのに要するパッド部材やスプリング部材等を省け、更には軽量化を図れて面状弾性体の薄さによりスペース効率もよいところから好ましい。
【０００４】
そのシートは、樹脂プレートを面状弾性体の周端縁に備え、樹脂プレートをシートフレームの軸線上に設けた凹溝に嵌め込んで面状弾性体の端末を止着し、或いは面状弾性体の周端縁をシートフレームの軸線上に直接巻き付けて押えプレートと共にねじ止め固定することから、面状弾性体をシートフレームの枠内に張設配置するものとして提案されている。
【０００５】
然し、この樹脂プレートをシートフレームの軸線上に設けた凹溝に嵌め込んで面状弾性体の端末を止着し、また、面状弾性体の周端縁をシートフレームの軸線上に直接巻き付けて押えプレートと共にねじ止め固定するのでは張力を一定に設定するのが難しく、面状弾性体を適度な張力で保持させてバラ付きなくシートフレームの枠内に張設するのが難しい。
【０００６】
【発明が解決しようとする課題】
本発明は、面状弾性体を適度な張力でバラ付きなくシートフレームの枠内に容易に張設できて座面部を形成可能な面状弾性体による座面部を有するシートを提供することを目的とする。
【０００７】
【課題を解決するための手段】
本発明に係る面状弾性体による座面部を有するシートにおいては、面状弾性体をシートフレームの枠内に張設配置することにより、座面部を形成するもので、複数個の掛止め爪を定間隔毎に突設したシートフレームと、各掛止め爪と相応位置する複数個のスリットを板面に設け、立上りフランジ部を少なくとも外周縁に設け、更に、面状弾性体を周回りから固着保持する略四辺形の枠体を備え、
前記立上りフランジ部をシートフレームの縁辺に係合させて枠体をシートフレームに位置決め装着すると共に、前記枠体をスリットに挿通させて折り曲げる掛止め爪でシートフレームと一体に組付固定し、前記面状弾性体をシートフレームの枠内に張設装備することにより構成されている。
【０００８】
【発明の実施の形態】
以下、添付図面を参照して説明すると、図示実施の形態は図１で示すように車輌用シートにおいてシートバックＢ並びにシートクッションＣを各々組み立てるのに適用されている。この車輌用シートの各部Ｂ，Ｃは、略四辺形枠状のシートフレーム１０，２０と、座面部を形成する面状弾性体１１，２１と、土手部を形成するパッド部材１２，２２と、パッド部材１２，２２を被包する表皮材１３，２３とから構成されている。
【０００９】
具体的な構成をシートバックＢに基づいて説明すると、図２で示すように金属フレーム１０ａを基枠とし、面状弾性体１１の周端縁を内部に取り込んで面状弾性体１１を周回りから所定の張力で保持する枠体１１ｂを金属フレーム１０ａに組み付けたシートバックフレーム１０（図１参照）をベースに組み立てられている。
【００１０】
金属フレーム１０ａとしては、略四辺形の各片を座者の着座姿勢に適合するよう軸線曲げした横断面コの字状の金属フレームを用いるようにできる。枠体１０ｂとしては、ポリエチレンテレフタレート，ポリプロピレン，ポリエチレン等の合成樹脂から形成したものを用いることができる。
【００１１】
面状弾性体１１としては、伸縮性，通気性を有する布地が用いられている。例えば、内装織物に使用される繊維状ヤーンからなる複数のストランドで交織された複数のエラストマーモノフィラメントで形成したもの、または１０００〜４０００デニールのエラストマーモノフィラメントを経糸または緯糸に織り込み或いは編み込んで伸縮性，通気性を付与した織物または編物を用いるようにできる。
【００１２】
面状弾性体１１を枠体１０ｂと一体に樹脂成形するには、面状弾性体１１を周回りからチャックで挾持することにより所定の張力で引張支持し、この面状弾性体の周端縁を上型，下型のキャビティ空間に収容することから枠体をインジェクション成形すればよい。そのインジェクション成形後に、面状弾性体１１のチャックによる挾持部分は余剰部分として枠体１０ｂの側縁に沿ってヒートカッティングすることによりほつれ出さないよう切取り除去すればよい。
【００１３】
そのインジェクション成形により、枠体１０ｂは面状弾性体１１の周端縁を肉厚内に埋め込んで一体にインサート成形することにより面状弾性体１１を周囲より張設支持する略四辺形枠として形成すればよい。このインジェクション成形時には、金属フレーム１０ａの側面に係合する立上りフランジ部１０ｃ，１０ｄが枠体１０ｂの両側縁に沿って一体に樹脂成形されている。
【００１４】
面状弾性体１１は、周回りから所定の張力により枠体１０ｂで張設支持できるため、適度な張力でバラ付きなく一定な張力を保ってシートバックフレーム１０の枠内に張設装備できる。
【００１５】
そのシートバックフレーム１０をベースとし、パッド部材１２を組み付け、更に、パッド部材１２を表皮材１３で被包することによりシートバックＢを組み立てることができる。パッド部材１２は発泡ウレタン等のクッションフォームでなり、シートバックフレーム１０の前面，側面または背面側に回る所定の横断面形状に発泡成形したものを用いることができる。
【００１６】
そのパッド部材１２はシートバックフレーム１０の各辺毎に個別に形成し、或いは、シートバックフレーム１０の枠形状に合わせて全体を連続した一体ものに形成するようにもできる。また、前部側はホールド性の良好な土手部を組み立てるよう大きく隆起し、特に、両側部の中腹から下部側は大きな隆起を呈し、上部側はヘッドレスト部として大きく隆起するよう形成するとよい。
【００１７】
表皮材１３としては、汎用の本革、合皮，ファブリック等のいずれでも用いることができる。その表皮材１３は、内側が開放された横断面略Ｃ字形でシートバックフレーム１０の各辺に組み付けられるパッド部材１２を外側より包み込めるよう全体が連続した一体ものに縫製することができる。
【００１８】
金属フレーム１０ａには、複数個のリテーナー１４，１４…を掛止め爪として溶接固定されている。そのリテーナー１４，１４…は、所定の間隔を隔てて枠体１０ｂをあてがう金属フレーム１０ａの前面側に備え付けられている。これに対し、枠体１０ｂにはリテーナー１４，１４…と相応位置する複数個のスリット１５，１５…が板面の長手方向に並べて設けられている。
【００１９】
表皮材１３には、枠体１０ｂのスリット１５，１５…と整合位置する複数個のスリット１６，１６…を長手方向に沿って設けたトリムコード１７が枠体１０ｂの前面側に巻込み止着する側の片端末に沿って縫着されている。その表皮材１３の他端末には、図３で示すように硬質樹脂製のフック１８を縫着装備すればよい。
【００２０】
その各部材からシートバックＢを組み立てるには、枠体１０ｂの立上りフランジ部１０ｃ，１０ｄを金属フレーム１０ａの両側部に係合させて枠体１０ｂを金属フレーム１０ａに組み付ける。この際、金属フレーム１０ａの各リテーナー１４，１４…を枠体１０ｂのスリット１５，１５…に嵌め込む。
【００２１】
その後に、表皮材１３のトリムコード１７を枠体１０ｂに重ね、枠体１０ｂのスリット１５，１５…より突出するリテーナー１４，１４…の先端側をトリムコード１７の相整合するスリット１６，１６…に嵌め込んで突端側を金属フレーム１０ａの外向き方向に折り曲げ、枠体１０ｂ並びにトリムコード１７を金属フレーム１０ａの前面側に一体に共締め固定する。
【００２２】
その表皮材１３により、パッド部材１２を包み込んで、表皮材１３の他端末をシートバックフレーム１０の背面側に巻き込むことによりフック１８を金属フレーム１０ａのフランジ部に掛け止めて端末止着すればよい。
【００２３】
このように構成する面状弾性体による座面部を有するシートでは、図１で示すようにランバーサポート２４をバックカバー２５で上下に位置調整自在に備え付けることができる。また、このバックカバー２５をシートバックフレーム１０の背面下部寄りに取り付けることにより通気性を上部側に保つシートバックＢとして構成することができる。
【００２４】
上述した実施の形態はシートバックＢに基づいて説明したが、シートクッションＣを構成するのも同様に適用することができる。
【００２５】
シートクッションＣは、図１で示すようにスライドレール２６ａ，２６ｂで摺動自在に立付け支持されるブラケットプレート２７ａ，２７ｂに取り付け、このブラケットプレート２７ａ，２７ｂを外装カバー２８ａ，２８ｂで覆うことにより通常のシートと同様に前後位置を調整可能に構成することができる。また、シート全体はリクライニング機構２９を片側のブラケップレート２７ｂに備えることによりリクライニングシートとして構成することができる。
【００２６】
【発明の効果】
以上の如く、本発明に係る面状弾性体による座面部を有するシートに依れば、枠体の少なくとも外周縁に設けた立上りフランジ部をシートフレームの縁辺に係合させて枠体をシートフレームに位置決め装着すると共に、枠体の板面に設けたスリットに挿通させて折り曲げる掛止め爪により枠体をシートフレームと一体に組付固定し、面状弾性体をシートフレームの枠内に張設装備することから、面状弾性体を適度な張力でバラ付きなくシートフレームの枠内に容易に張設でき、また、枠体と共に強固にシートフレームの枠内に張設させて座面部を形成することができる。
【図面の簡単な説明】
【図１】  本発明に係る面状弾性体による座面部を有するシートを展開させて示す斜視図である。
【図２】  本発明の好適な実施の形態に係る面状弾性体による座面を有するシートを構成する各部を展開させて示す拡大断面図である。
【図３】  図２のシートを図１のＡーＡ線個所で示す拡大断面図である。
【符号の説明】
１０          シートフレーム
１０ａ        基枠
１０ｂ        枠体
１０ｄ        枠体の立上りフランジ部
１１          面状弾性体
１４，１４…  シートフレームの掛止め爪
１５，１５…  枠体のスリット
【図１】
0004332868.tif 000002
【図２】
0004332868.tif 000003
【図３】
0004332868.tif 000004